【事件の表示】
　特許第３０６８５７５号「ミリメートル波ＬＴＣＣパッケージ」の請求項１ないし１４に係る特許に対する特許異議の申立てについて、次のとおり決定する。
【結　論】
　特許第３０６８５７５号の請求項１ないし１４に係る特許を維持する。
【理　由】
（１）本件特許第３０６８５７５号の請求項１ないし１４に係る発明（平成１０年１１月２０日出願、平成１２年５月１９日設定登録、以下、各々「本件第１発明」ないし「本件第１４発明」という。）の要旨は、その特許明細書及び図面の記載からみて、特許請求の範囲の第１項ないし第１４項に記載された事項により特定されるとおりのものと認める。
（２）申立の理由の概要　　　　　　　　　　　　
　特許異議申立人　京セラ株式会社は、甲第１号証として、特開平１１−４１０１０号公報を提示し、本件第１ないし７、１０ないし１４発明は、本件特許の優先権主張前に出願され、本件特許出願後に公開された特願平９−１９０３３２号の明細書及び図面に記載された発明と同一であるので、特許法第２９条の２の規定に違反してなされたものであり、また、甲第２〜４号証として、特開平８−２５６００３号公報、特開平８−２７４５１３号公報、特開平７−３０７６０５号公報を提示し、本件第１ないし１４発明は、甲第２号証〜甲第４号証に記載された発明に基づいて当業者が容易に発明することができたものであるので、特許法第２９条第２項の規定の規定に違反してなされたものであり、本件第１ないし１４発明に係る特許は、特許法第１１３条第１項第２号の規定により取り消すべきものである、と主張している。
（３）申立人が提出した各甲号証記載の発明　
　Ａ.特願平９−１９０３３２号の明細書及び図面（甲第１号証参照）には、下記の発明（以下、「甲第１号証記載の発明」という。）が記載されている。
　ａ．「【００１１】
　　【発明の実施の形態】
　次に、本発明の実施例について図面を参照して説明する。図１（ａ）は本発明の一実施例の断面図であり、−−−図１（ｃ）は本発明の一実施例による誘電体多層基板の最上層のパターンを示す断面図であり、図１（ｄ）は本発明の一実施例による誘電体多層基板の内層のパターンを示す断面図であり、図１（ｅ）は本発明の一実施例による誘電体多層基板の最下層のパターンを示す断面図である。
　　　　【００１２】
　これらの図において、誘電体多層基板１には最上層パターン２と、内層パターン３と、最下層パターン４と、最上層−最下層間ビア６と、最上層−内層ビア６ａと、内層−最下層ビア６ｂとが形成されている。
　　　　【００１３】
　最上層パターン２にはマイクロストリップ線路１１と、一端がマイクロストリップ線路１１に接続されかつ他端（先端）がグランド（ＧＮＤ）に短絡されたアンテナプローブ５−−−が形成されており、−−−［図１（ａ）及び図１（ｃ）参照］。
　　　　【００１４】
　ここで、−−−導波管８から伝送されてくる−−−
　　　　【００１６】
　内層パターン３は導波管開口部７に相当する部分の金属パターンが除かれている［図１（ｄ）参照］。最下層パターン４は導波管開口部７の金属パターンが除かれている［図１（ｅ）参照］。
　　　　【００１７】
　誘電体多層基板１の導波管開口部７に対向する領域の周囲及びマイクロストリップ線路１１の周囲は最上層−最下層間ビア６と最上層−内層ビア６ａと内層−最下層ビア６ｂとで囲まれている［図１（ｃ）、図１（ｄ）、図１（ｅ）参照］。最上層−最下層間ビア６と最上層−内層ビア６ａと内層−最下層ビア６ｂとは夫々上下層のグランドに接続されており、これらのビア６，６ａ，６ｂによって誘電体多層基板１の導波管開口部７に対向する領域の周囲及びマイクロストリップ線路１１の周囲が他の領域からシールドされている。」（甲第１号証　第３頁　段絡【００１１】〜【００１７】参照）。
　Ｂ.甲第２号証（特開平８−２５６００３号公報）には、下記の発明（以下、「甲第２号証記載の発明」という。）が記載されている。
  ａ．「【０００２】
　【従来の技術】
　図４は従来の導波管−マイクロストリップ線路変換器を示す図であり、（Ａ）は縦断面図、（Ｂ）は（Ａ）のＢ−Ｂ線断面図である。１は一方の面に導波管２がネジ（図示せず）により結合される導電性のベース板であって、その中央部には導波管２の開口と同じ形状の開口１ａが形成され、他方の面には、誘電体基板７が接合されている。−−−
　　　　【０００３】
　上記した誘電体基板７は、その表面側にはマイクロストリップ線路７１が形成され、裏面側にはベース板１の開口１ａに対応する部分を除く部分に導電箔７２が設けられてベース板１と導通している。また裏面側には短絡導波管８の鍔部分と導通する導電箔７３やシールド枠６と導通する導電箔７４が設けられ、さらにその導電箔７３と裏面側の導電箔７２とはスルーホール７５によって導通し、これにより導波管２と短絡導波管８との間の導波路が形成されている。マイクロストリップ線路７１は誘電体基板７に構成された高周波回路（図示せず）に接続され、この回路は裏蓋５とシールド枠６により外部からシールドされている。」（甲第２号証　３頁段落【０００２】、【０００３】参照）。
　Ｃ.甲第３号証（特開平８−２７４５１３号公報）には、下記の発明（以下、「甲第３号証記載の発明」という。）が記載されている。
ａ．「この高周波信号線路８から導波管５に電波を放射するために、アンテナパターン１０、及び調整用パターン１４を設けている。このアンテナパターン１０の周囲には直径数十〜数百［μｍ］、間隔数十〜数百［μｍ］で、銀、銅等の導電材料によって充填されたシールドビア２があり、これにより表面グランド３と裏面グランド４を接続することによってシールドし、疑似導波管構造となっている。」（甲第３号証　３頁段落【００１７】参照）。
　Ｄ.甲第４号証（特開平７−３０７６０５号公報）には、下記の発明（以下、「甲第４号証記載の発明」という。）が記載されている。
　ａ．「誘電体基板１は多層に重ね合わされた基板で、熱膨張係数の低い材料、例えば低温焼成ガラスセラミックにより構成されており、上層と下層にそれぞれグランド面２が形成されている。」（甲第４号証　４頁段落【００２５】参照）。
（４）対比・判断
　（４−１）特許法第２９条の２について
（本件第１発明について）
　本件第１発明と異議申立人が提出した甲第１証記載の発明とを対比すると、甲第１証記載の発明の「誘電体多層基板１」、「最下層パターン４」、「最上層のパターン」、「最上層−最下層間ビア６と最上層−内層ビア６ａと内層−最下層ビア６ｂ」、「マイクロストリップ線路１１とアンテナプローブ５」は、本件第１発明の「第１誘電性層」、「第１導電性層」、「導電性被膜」、「導波管の延長」、「マイクロストリップ」に対応するものの、甲第１号証記載の発明には、本件第１発明の構成である、「上記第２の誘電性層が導波管を形成する開口を有する」点については、記載されていない。すなわち、甲第１証記載の発明には、本件第１発明の、導波管を形成する開口を有する上記第２の誘電性層に対応する構成として、導波管８が記載されているのみで、導波管を形成する開口を有する誘電性層の記載はない。
　よって、本件第１発明は、甲１号証記載の発明と同一であるとはいえない。
（本件第２ないし７、１０ないし１４発明について）
　本件第２ないし７、１０ないし１４の発明は、請求項１を引用するものであるから、前記（４−１）特許法第２９条の２について　（本件第１発明について）で、記載したのと同様の理由により、甲１号証記載の発明と同一であるとはいえない。
（４−２）特許法第２９条第２項について
（本件第１発明について）
　本件第１発明と異議申立人が提出した甲第２証記載の発明とを対比すると、甲第２証記載の発明の「誘電体基板７」、「導電箔７２」、「導電箔７３や導電箔７４」、「スルーホール７５」、「マイクロストリップ線路７１」は、本件第１発明の「第１誘電性層」、「第１導電性層」、「導電性被膜」、「導波管の延長」、「マイクロストリップ」に対応するものの、第１号証記載の発明には、本件第１発明の構成である、「上記第２の誘電性層が導波管を形成する開口を有する」点については、記載されていない。すなわち、甲第２証記載の発明には、本件第１発明の、導波管を形成する開口を有する上記第２の誘電性層に対応する構成として、導電性のベース板１が記載されているのみで、導波管を形成する開口を有する誘電性層の記載はない。
　また、甲第３、４号証にも、本件第１発明の「上記第２の誘電性層が導波管を形成する開口を有する」点については、記載されていない。そして、本件第１発明は係る構成により明細書記載の目的を達成し得るものである。
　よって、本件第１発明は、甲第２号証〜甲第４証記載の発明に基づいて、当業者が容易に発明することができたものとすることはできない。
（本件第２ないし１４発明について）
　本件第２ないし１４発明は、いずれも、請求項１を引用するものであるから、前記（４−２）特許法第２９条第２項について　（本件第１発明について）で記載したのと同様の理由により、甲第２号証〜甲第４証記載の発明に基づいて、当業者が容易に発明することができたものとすることはできない。
（５）以上のとおりであるから、本件特許異議申立の理由および証拠によっては、本件に係る請求項１ないし１４に係る特許を取り消すことはできない。
　また、他に本件に係る請求項１ないし１４に係る特許を取り消すべき理由を発見しない。
  よって、結論のとおり決定する。
【異議決定日】
平成１３年４月１７日（２００１．４．１７）